(57)【要約】      （修正有）【課題】多モーターパワーを有する交互制御多変化振り回し揉み按摩器を提供する。【解決手段】内部に一組以上の振り回し揉み按摩装置１１が実装されるケーシング１０があり、各振り回し揉み按摩装置は、モーター２０や伝達部材３０、偏心ブロック４０、伝達ギア組５０、一方向軸受及び按摩へード７０から成る。モーターにより、同時に、上記伝達部材と上記伝達ギア組とが、連動され、伝達部材により、偏心ブロックが、振り回し揉みを行い、伝達ギア組により、按摩へードが、揉み押さえ按摩を行い、一方向軸受６１、６２が、伝達部材或いは伝達ギア組に実装され、モーターが逆回転する時、振り回し揉み或いは揉み押さえ按摩を行う。これにより、両組の振り回し揉み按摩装置が実装されれば、一側において、交互的にリズムな振り回しか揉み押さえを行い、或いは、振り回しや揉み押さえだけを行い、もう一側において、同時に、交互的に振り回しと揉み押さえを行うように、或いは、振り回しや揉み押さえだけを行う。【選択図】図１
0003180659.tif 000002
【実用新案登録請求の範囲】
【請求項１】
内部に、一組以上の振り回し揉み按摩装置が実装されるケーシングがあり、各振り回し揉み按摩装置に、
両側から突出する正逆回転可能の心軸が設けられるモーターと、
第一のベルトプーリとベルト及び第二のベルトプーリから構成され、上記第一のベルトプーリが、上記モーターの一側にある上記心軸に結合される伝達部材と、
回転軸が、上記第二ののベルトプーリに固定されるように、上記ケーシングの内部に枢着され、上記ベルトが、上記第一、二のベルトプーリに嵌設される偏心ブロックと、
上記心軸のもう一側に、螺旋ギアが設置され、上記螺旋ギアが、最も前のギアに噛合い、最後のギアが、伝達軸に固定される伝達ギア組と、
上記伝達ギア組の上記最後のギアと上記伝達軸との間に実装される第一の一方向軸受と、
上記ケーシングの一側から突出した上記伝達軸に固定され、上記ケーシングの外へ露出し、上記モーターにより、同時に、上記伝達部材と上記伝達ギア組とが、連動され、上記伝達部材により、上記偏心ブロックが振り回し揉みを行うようになり、上記伝達ギア組により、上記按摩へードが、揉み押さえ按摩を行い、上記第一の一方向軸受により、上記モーターが逆回転する時、振り回し揉みだけを行う按摩へードと、
が含有される、
ことを特徴とする多モーターパワーを有する交互制御多変化振り回し揉み按摩器。
【請求項２】
上記ケーシングの内部に、Ａ、Ｂ両組の振り回し揉み按摩装置が実装され、上記第一の一方向軸受が、Ａ組の振り回し揉み按摩装置の上記伝達ギア組の上記最後のギアと上記伝達軸との間に実装され、第二のの一方向軸受が、Ｂ組の振り回し揉み按摩装置の上記伝達ギア組の上記最後のギアと上記伝達軸との間に実装され、上記Ａ、Ｂ両組の振り回し揉み按摩装置の二つの上記モーターにより、交互的に、振り回しや揉み押さえ按摩が制御され、一側において、交互的に振り回しと揉み押さえ按摩を行い、もう一側において、振り回し揉みや交互的に振り回し揉みを行うことを特徴とする請求項１に記載の多モーターパワーを有する交互制御多変化振り回し揉み按摩器。
【請求項３】
上記ケーシングの内部に、Ａ、Ｂ両組の振り回し揉み按摩装置が実装され、上記第一の一方向軸受が、Ａ組の振り回し揉み按摩装置の上記伝達ギア組の上記最後のギアと上記伝達軸との間に実装され、第二の一方向軸が、Ｂ組の振り回し揉み按摩装置の上記第二のベルトプーリと上記回転軸との間に実装され、上記Ａ、Ｂ両組の振り回し揉み按摩装置の二つの上記モーターにより、交互的に、振り回しや揉み押さえ按摩が制御され、一側において、交互的に、揉み押さえ按摩を行い、もう一側において、振り回し揉みを行い、または、一側において、交互的に、振り回しや揉み押さえ按摩を行い、もう一側において、揉み押さえ按摩を行い、また、一側において、交互的に、振り回し揉みを行い、もう一側において、揉み押さえ按摩を行うことを特徴とする請求項１に記載の多モーターパワーを有する交互制御多変化振り回し揉み按摩器。
【請求項４】
内部に、一組以上の振り回し揉み按摩装置が実装されるケーシングがあり、各振り回し揉み按摩装置に、
両側から突出する可正逆回転可能の心軸が設けられるモーターと、
第一のベルトプーリとベルト及び第二のベルトプーリから構成され、上記第一のベルトプーリが、上記モーターの一側にある上記心軸に結合される伝達部材と、
回転軸が、上記第二のベルトプーリに固定されるように、上記ケーシングの内部に枢着され、上記ベルトが、上記第一、二のベルトプーリに嵌設される偏心ブロックと、
上記心軸のもう一側に、螺旋ギアが設置され、上記螺旋ギアが、最も前のギアに噛い、最後のギアが、伝達軸に固定される伝達ギア組と、
上記第二のベルトプーリと上記回転軸との間に実装される第一の一方向軸受と、
上記ケーシングの一側から突出した上記伝達軸に固定され、上記ケーシングの外へ露出し、上記モーターにより、同時に、上記伝達部材と上記伝達ギア組とが、連動され、上記伝達部材により、上記偏心ブロックが振り回し揉みを行うようになり、上記伝達ギア組により、上記按摩へードが、揉み押さえ按摩を行い、上記第一の一方向軸受により、上記モーターが逆回転する時、揉み押さえ按摩だけを行う按摩へードと、
が含有される、
ことを特徴とする多モーターパワーを有する交互制御多変化振り回し揉み按摩器。
【請求項５】
上記ケーシングの内部に、Ａ、Ｂ両組の振り回し揉み按摩装置が実装され、上記第一の一方向軸受が、Ａ組の振り回し揉み按摩装置の上記第二のベルトプーリと上記回転軸との間に実装され、第二の一方向軸受が、Ｂ組の振り回し揉み按摩装置の上記第二のベルトプーリと上記回転軸との間に実装され、上記Ａ、Ｂ両組の振り回し揉み按摩装置の二つの上記モーターにより、交互的に、振り回しや揉み押さえ按摩が制御され、一側において、交互的に振り回しや揉み押さえ按摩を行い、もう一側において、揉み押さえ按摩を行い、または、交互的に、一側において、揉み押さえ按摩を行い、もう一側において、揉み押さえ按摩を行うことを特徴とする請求項４に記載の多モーターパワーを有する交互制御多変化振り回し揉み按摩器。
【請求項６】
内部に、振り回し揉み按摩装置が実装されるケーシングがあり、上記振り回し揉み按摩装置に、
両側から突出する正逆回転可能の心軸が設けられるモーターと、
第一のベルトプーリとベルト及び第二のベルトプーリから構成され、上記第一のベルトプーリが、上記モーターの一側にある上記心軸に結合される伝達部材と、
回転軸が、上記第二ののベルトプーリに固定されるように、上記ケーシングの内部に枢着され、上記ベルトが、上記第一、二のベルトプーリに嵌設される偏心ブロックと、
上記心軸のもう一側に、螺旋ギアが設置され、上記螺旋ギアが、最も前のギアに噛合い、最後のギアが、伝達軸に固定される伝達ギア組と、
上記伝達ギア組の上記最後のギアと上記伝達軸との間に実装される第一の一方向軸受と、
上記ケーシングの一側から突出した上記伝達軸に固定され、上記ケーシングの外へ露出し、上記モーターにより、同時に、上記伝達部材と上記伝達ギア組とが、連動され、上記伝達部材により、上記偏心ブロックが振り回し揉みを行うようになり、上記伝達ギア組により、上記按摩へードが、揉み押さえ按摩を行い、上記第一の一方向軸受により、上記モーターが逆回転する時、振り回し揉みだけを行う按摩へードと、
が含有される、
ことを特徴とする多モーターパワーを有する交互制御多変化振り回し揉み按摩器。
【考案の詳細な説明】
【技術分野】
【０００１】
本考案は、按摩健康器具に関し、特に、多モーターパワーを有する交互制御多変化振り回し揉み按摩器に関し、一組以上の振り回し揉み按摩装置が組立てられ、一方向軸受により振り回しや揉みを制御し、両組の振り回し揉み按摩装置である場合、一側において、交互的にリズムな振り回しか揉み押さえを行い、或いは、振り回しや揉み押さえだけを行い、もう一側において、同時に、交互的に振り回しと揉み押さえを行うように、或いは、振り回しや揉み押さえだけを行うように、制御でき、多重変化制御按摩モードが実現されるものに関する。
【背景技術】
【０００２】
現代の人の生活が、忙しくて、緊張感が一杯になるため、いつでも、按摩器を利用して、緊張な体や情緒を緩めることが好ましく、現代人に適合する。
【０００３】
従来の按摩器は、設計が単調で、一般として、一つのモーターを有するように設計するため、変化できる作動が、厳しく限られて、新しい按摩作動を実現できなく、そのため、按摩や振り回しの簡単変化や、多くても、ユニークのモーターの速度を調整できるが、上記のような簡単の按摩モード変化が、一般の人の按摩に対する、多様化のニーズを満足できなく、そのため、従来の按摩器が、より普及にならなく、そのため、按摩器の関連業者が、もっと、研究開発に力を注がなければならない。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の目的は、一組以上の振り回し揉み按摩装置を有して、一方向軸受を利用して、揉みや振り回しを行い、両組の振り回し揉み按摩装置を実装することにより、交互的に、リズムな振り回しや揉み押さえ、或いは、交互に振り回し揉み押さえ、或いは、振り回し揉み押さえを行いながら、同時に、交互的に多重変化の按摩モードを制御できる、多モーターパワーを有する交互制御多変化振り回し揉み按摩器を提供する
【課題を解決するための手段】
【０００６】
請求項１の考案は、内部に、一組以上の振り回し揉み按摩装置が実装されるケーシングがあり、各振り回し揉み按摩装置に、両側から突出する正逆回転可能の心軸が設けられるモーターと、第一のベルトプーリとベルト及び第二のベルトプーリから構成され、上記第一のベルトプーリが、上記モーターの一側にある上記心軸に結合される伝達部材と、回転軸が、上記第二ののベルトプーリに固定されるように、上記ケーシングの内部に枢着され、上記ベルトが、上記第一、二のベルトプーリに嵌設される偏心ブロックと、上記心軸のもう一側に、螺旋ギアが設置され、上記螺旋ギアが、最も前のギアに噛合い、最後のギアが、伝達軸に固定される伝達ギア組と、上記伝達ギア組の上記最後のギアと上記伝達軸との間に実装される第一の一方向軸受と、上記ケーシングの一側から突出した上記伝達軸に固定され、上記ケーシングの外へ露出し、上記モーターにより、同時に、上記伝達部材と上記伝達ギア組とが、連動され、上記伝達部材により、上記偏心ブロックが振り回し揉みを行うようになり、上記伝達ギア組により、上記按摩へードが、揉み押さえ按摩を行い、上記第一の一方向軸受により、上記モーターが逆回転する時、振り回し揉みだけを行う按摩へードと、が含有される、ことを特徴とする多モーターパワーを有する交互制御多変化振り回し揉み按摩器である。
【０００７】
請求項２の考案は、上記ケーシングの内部に、Ａ、Ｂ両組の振り回し揉み按摩装置が実装され、上記第一の一方向軸受が、Ａ組の振り回し揉み按摩装置の上記伝達ギア組の上記最後のギアと上記伝達軸との間に実装され、第二のの一方向軸受が、Ｂ組の振り回し揉み按摩装置の上記伝達ギア組の上記最後のギアと上記伝達軸との間に実装され、上記Ａ、Ｂ両組の振り回し揉み按摩装置の二つの上記モーターにより、交互的に、振り回しや揉み押さえ按摩が制御され、一側において、交互的に振り回しと揉み押さえ按摩を行い、もう一側において、振り回し揉みや交互的に振り回し揉みを行うことを特徴とする請求項１に記載の多モーターパワーを有する交互制御多変化振り回し揉み按摩器である。
【０００８】
請求項３の考案は、上記ケーシングの内部に、Ａ、Ｂ両組の振り回し揉み按摩装置が実装され、上記第一の一方向軸受が、Ａ組の振り回し揉み按摩装置の上記伝達ギア組の上記最後のギアと上記伝達軸との間に実装され、第二の一方向軸が、Ｂ組の振り回し揉み按摩装置の上記第二のベルトプーリと上記回転軸との間に実装され、上記Ａ、Ｂ両組の振り回し揉み按摩装置の二つの上記モーターにより、交互的に、振り回しや揉み押さえ按摩が制御され、一側において、交互的に、揉み押さえ按摩を行い、もう一側において、振り回し揉みを行い、または、一側において、交互的に、振り回しや揉み押さえ按摩を行い、もう一側において、揉み押さえ按摩を行い、また、一側において、交互的に、振り回し揉みを行い、もう一側において、揉み押さえ按摩を行うことを特徴とする請求項１に記載の多モーターパワーを有する交互制御多変化振り回し揉み按摩器である。
【０００９】
請求項４の考案は、内部に、一組以上の振り回し揉み按摩装置が実装されるケーシングがあり、各振り回し揉み按摩装置に、両側から突出する可正逆回転可能の心軸が設けられるモーターと、第一のベルトプーリとベルト及び第二のベルトプーリから構成され、上記第一のベルトプーリが、上記モーターの一側にある上記心軸に結合される伝達部材と、回転軸が、上記第二のベルトプーリに固定されるように、上記ケーシングの内部に枢着され、上記ベルトが、上記第一、二のベルトプーリに嵌設される偏心ブロックと、上記心軸のもう一側に、螺旋ギアが設置され、上記螺旋ギアが、最も前のギアに噛い、最後のギアが、伝達軸に固定される伝達ギア組と、上記第二のベルトプーリと上記回転軸との間に実装される第一の一方向軸受と、上記ケーシングの一側から突出した上記伝達軸に固定され、上記ケーシングの外へ露出し、上記モーターにより、同時に、上記伝達部材と上記伝達ギア組とが、連動され、上記伝達部材により、上記偏心ブロックが振り回し揉みを行うようになり、上記伝達ギア組により、上記按摩へードが、揉み押さえ按摩を行い、上記第一の一方向軸受により、上記モーターが逆回転する時、揉み押さえ按摩だけを行う按摩へードと、が含有される、ことを特徴とする多モーターパワーを有する交互制御多変化振り回し揉み按摩器である。
【００１０】
請求項５の考案は、上記ケーシングの内部に、Ａ、Ｂ両組の振り回し揉み按摩装置が実装され、上記第一の一方向軸受が、Ａ組の振り回し揉み按摩装置の上記第二のベルトプーリと上記回転軸との間に実装され、第二の一方向軸受が、Ｂ組の振り回し揉み按摩装置の上記第二のベルトプーリと上記回転軸との間に実装され、上記Ａ、Ｂ両組の振り回し揉み按摩装置の二つの上記モーターにより、交互的に、振り回しや揉み押さえ按摩が制御され、一側において、交互的に振り回しや揉み押さえ按摩を行い、もう一側において、揉み押さえ按摩を行い、または、交互的に、一側において、揉み押さえ按摩を行い、もう一側において、揉み押さえ按摩を行うことを特徴とする請求項４に記載の多モーターパワーを有する交互制御多変化振り回し揉み按摩器である。
【００１１】
請求項６の考案は、内部に、振り回し揉み按摩装置が実装されるケーシングがあり、上記振り回し揉み按摩装置に、両側から突出する正逆回転可能の心軸が設けられるモーターと、第一のベルトプーリとベルト及び第二のベルトプーリから構成され、上記第一のベルトプーリが、上記モーターの一側にある上記心軸に結合される伝達部材と、回転軸が、上記第二ののベルトプーリに固定されるように、上記ケーシングの内部に枢着され、上記ベルトが、上記第一、二のベルトプーリに嵌設される偏心ブロックと、上記心軸のもう一側に、螺旋ギアが設置され、上記螺旋ギアが、最も前のギアに噛合い、最後のギアが、伝達軸に固定される伝達ギア組と、上記伝達ギア組の上記最後のギアと上記伝達軸との間に実装される第一の一方向軸受と、上記ケーシングの一側から突出した上記伝達軸に固定され、上記ケーシングの外へ露出し、上記モーターにより、同時に、上記伝達部材と上記伝達ギア組とが、連動され、上記伝達部材により、上記偏心ブロックが振り回し揉みを行うようになり、上記伝達ギア組により、上記按摩へードが、揉み押さえ按摩を行い、上記第一の一方向軸受により、上記モーターが逆回転する時、振り回し揉みだけを行う按摩へードと、が含有される、ことを特徴とする多モーターパワーを有する交互制御多変化振り回し揉み按摩器である。
【００１２】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１３】
図１乃至図５を参照しながら、本考案は、
内部に、一組以上の振り回し揉み按摩装置１１が実装されるケーシング１０があり、各振り回し揉み按摩装置１１に、
両側から突出する正逆回転可能の心軸２１が設けられるモーター２０と、
第一のベルトプーリ３１とベルト３２及び第二のベルトプーリ３３から構成され、上記第一のベルトプーリ３１が、上記モーター２０の一側にある上記心軸２１に結合される伝達部材３０と、
回転軸４１が、上記第二のベルトプーリ３３に固定されるように、上記ケーシング１０の内部に枢着され、上記ベルト３２が、上記第一、二ベルトプーリ３１、３３に嵌設される偏心ブロック４０と、
上記心軸２１のもう一側に、螺旋ギア２２が設置され、上記螺旋ギア２２が、最も前のギア５１に噛合い、最後のギア５２が、伝達軸５３に固定される伝達ギア組５０と、
上記伝達ギア組５０の上記最後のギア５２と上記伝達軸５３との間に実装される第一の一方向軸受６１と、
上記ケーシング１０の一側から突出した上記伝達軸５３に固定され、上記ケーシング１０の外へ露出し、上記モーター２０により、同時に、上記伝達部材３０と上記伝達ギア組５０とが、連動され、上記伝達部材３０により、上記偏心ブロック４０が振り回し揉みを行うようになり、上記伝達ギア組５０により、上記按摩へード７０が、揉み押さえ按摩を行い、上記第一の一方向軸受６１により、上記モーター２０が逆回転する時、振り回し揉みだけを行う按摩へード７０と、
【００１４】
前述上記ケーシング１０は、内部に、Ａ、Ｂ両組の振り回し揉み按摩装置１１が実装され、上記第一の一方向軸受６１が、Ａ組の振り回し揉み按摩装置１１の上記伝達ギア組５０の上記最後のギア５２と上記伝達軸５３との間に実装され、第二の一方向軸受６２が、Ｂ組の振り回し揉み按摩装置１１の上記伝達ギア組５０の上記最後のギア５２と上記伝達軸５３との間に実装され、上記Ａ、Ｂ両組の振り回し揉み按摩装置１１の二つの上記モーター２０により、交互的に振り回しや揉み押さえ按摩を行うように、交互的に、一側において、振り回しや揉み押さえ按摩を行い、もう一側において、振り回し揉みを行い、または、交互的に、振り回し揉みを行うように、制御できる。
【００１５】
前述上記ケーシング１０は、内部に、Ａ、Ｂ両組の振り回し揉み按摩装置１１が実装され、上記第一の一方向軸受６１が、Ａ組の振り回し揉み按摩装置１１の上記伝達ギア組５０の上記最後のギア５２と上記伝達軸５３との間に実装され、第二の一方向軸受６２が、Ｂ組の振り回し揉み按摩装置１１の上記第二のベルトプーリ３３と上記回転軸４１との間に実装され、上記Ａ、Ｂ両組の振り回し揉み按摩装置１１の二つの上記モーター２０により、交互的に、振り回しや揉み押さえ按摩を行い、交互的に、一側において、振り回しや揉み押さえ按摩を行い、もう一側において、振り回し揉みを行い、交互的に、一側において、振り回しや揉み押さえ按摩を行い、もう一側において、揉み押さえ按摩を行い、または、交互的に、一側において、振り回し揉み、もう一側において、揉み押さえ按摩を行うように、制御できる。
【００１６】
図１乃至図５のように、本考案は、
内部に、一組以上の振り回し揉み按摩装置１１が実装されるケーシング１０があり、各振り回し揉み按摩装置１１に、
両側から突出する正逆回転可能の心軸２１が設けられるモーター２０と、
第一のベルトプーリ３１とベルト３２及び第二のベルトプーリ３３から構成され、上記第一のベルトプーリ３１が、上記モーター２０の一側にある上記心軸２１に結合される伝達部材３０と、
回転軸４１が、上記第二のベルトプーリ３３に固定されるように、上記ケーシング１０の内部に枢着され、並使上記ベルト３２が、上記第一、二ベルトプーリ３１、３３に嵌設される偏心ブロック４０と、
上記心軸２１のもう一側に、螺旋ギア２２が設置され、上記螺旋ギア２２が、最も前のギア５１に噛合い、最後のギア５２が、伝達軸５３に固定される伝達ギア組５０と、
上記第二のベルトプーリ３３と上記回転軸４１との間に実装される第一の一方向軸受６１と、
上記ケーシング１０の一側から突出した上記伝達軸５３に固定され、上記ケーシング１０の外へ露出し、上記モーター２０により、同時に、上記伝達部材３０と上記伝達ギア組５０とが、連動され、上記伝達部材３０により、上記偏心ブロック４０が振り回し揉みを行うようになり、上記伝達ギア組５０により、上記按摩へード７０が、揉み押さえ按摩を行い、上記第一の一方向軸受６１により、上記モーター２０が逆回転する時、揉み押さえ按摩だけを行う按摩へード７０と、が含有される。
【００１７】
上記ケーシング１０は、内部に、Ａ、Ｂ両組の振り回し揉み按摩装置１１が実装され、上記第一の一方向軸受６１が、Ａ組の振り回し揉み按摩装置１１の上記第二のベルトプーリ３３と上記回転軸４１との間に実装され、第二の一方向軸受６２が、Ｂ組の振り回し揉み按摩装置１１の上記第二のベルトプーリ３３と上記回転軸４１との間に実装され、上記Ａ、Ｂ両組の振り回し揉み按摩装置１１の二つの上記モーター２０により、交互的に、振り回しや揉み押さえ按摩を行い、交互的に、一側において、振り回しや揉み押さえ按摩を行い、もう一側において、揉み押さえ按摩を行い、或いは、交互的に、一側において、揉み押さえ按摩を行い、もう一側において、揉み押さえ按摩を行うように、制御できる。
【００１８】
図６のように、本考案は、
内部に、一つの振り回し揉み按摩装置１１が実装されるケーシング１０があり、上記振り回し揉み按摩装置１１は、
両側から突出する正逆回転可能の心軸２１が設けられるモーター２０と、
第一のベルトプーリ３１とベルト３２及び第二のベルトプーリ３３から構成され、上記第一のベルトプーリ３１が、上記モーター２０の一側にある上記心軸２１に結合される伝達部材３０と、
回転軸４１が、上記第二のベルトプーリ３３に固定されるように、上記ケーシング１０の内部に枢着され、上記ベルト３２が、上記第一、二ベルトプーリ３１、３３に嵌設される偏心ブロック４０と、
上記心軸２１のもう一側に、螺旋ギア２２が設置され、上記螺旋ギア２２が、上記伝達ギア組５０の最も前のギア５１に噛合い、最後のギア５２が、伝達軸５３に固定される伝達ギア組５０と、
上記伝達ギア組５０の上記最後のギア５２と上記伝達軸５３との間に実装される第一の一方向軸受６１と、
上記ケーシング１０の一側から突出する上記伝達軸５３に、固定され、上記ケーシング１０の外へ露出し、上記モーター２０により、同時に、上記伝達部材３０と上記伝達ギア組５０とが、連動され、上記伝達部材３０により、上記偏心ブロック４０が、振り回し揉みを行い、上記伝達ギア組５０により、上記按摩へード７０が、揉み押さえ按摩を行い、上記第一の一方向軸受６１により、上記モーター２０が逆回転する時、振り回し揉みだけを行う按摩へード７０と、
が含有される。
【００１９】
そのため、本考案は、より進歩的かつより実用的で、法に従って実用新案登録請求を出願する。
【００２０】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２１】
【図１】本考案のより良い実施例の立体分解図
【図２】本考案の他のより良い実施例の立体図
【図３】本考案の他のより良い実施例の立体分解図
【図４】本考案の更に他のより良い実施例の立体分解図
【図５】本考案の更に他のより良い実施例の立体分解図
【図６】本考案のケーシング内に、一組だけの振り回し揉み按摩装置が実装された状態の立体分解図
【符号の説明】
【００２２】
１０  ケーシング
１１  振り回し揉み按摩装置
２０  モーター
２１  心軸
２２  螺旋ギア
３０  伝達部材
３１  第一のベルトプーリ
３２  ベルト
３３  第二のベルトプーリ
４０  偏心ブロック
４１  回転軸
５０  伝達ギア組
５１  最も前のギア
５２  最後のギア
５３  伝達軸
６１  第一の一方向軸受
６２  第二の一方向軸受
７０  按摩へード
Ａ  振り回し揉み按摩装置
Ｂ  振り回し揉み按摩装置
【図１】
0003180659.tif 000003
【図２】
0003180659.tif 000004
【図３】
0003180659.tif 000005
【図４】
0003180659.tif 000006
【図５】
0003180659.tif 000007
【図６】
0003180659.tif 000008